(57)【要約】      （修正有）【課題】外側に抗菌作用を施す技術を適用した布張棺及び紙張棺を提供する。【解決手段】遺体を収容する本体部材Ｂと、本体部材Ｂに対して取り外し可能に装着される蓋部材Ｃと、本体部材Ｂの木材面の外面を少なくとも被覆する布１０または紙２０を有する布張棺１００または紙張棺２００において、布１０が漂白され染色された後または紙２０が木目調模様を印刷された後に、抗菌・抗ウィルス加工施工により抗菌・抗ウィルス剤を含侵し、布１０が布張棺１００の木材面に張り合わされて布張棺１００の木材面を被覆してなるまたは紙２０が紙張棺２００の木材面に張り合わされて紙帳棺２００の木材面を被覆してなる。【選択図】図３
0003234553.tif 000002
【実用新案登録請求の範囲】
【請求項１】
遺体を収容する本体部材Ｂと、本体部材Ｂに対して取り外し可能に装着される蓋部材Ｃと、本体部材Ｂの木材面ｗの外面を少なくとも被覆する布１０を有する布張棺１００において、布１０が漂白され染色された後に、抗菌・抗ウィルス加工施工により抗菌・抗ウィルス剤Ａを予め含侵してなり、当該布１０が布張棺１００の木材面ｗに張り合わせられて布張棺１００の木材面ｗを被覆してなることを特徴とする布張棺１００。
【請求項２】
抗菌・抗ウィルス剤Ａにおいて、抗菌剤が無機系抗菌剤又は有機系抗菌剤又はそれらの両方であり、抗ウィルス剤がカチオン界面活性剤であることを特徴とする請求項１に記載された布張棺１００。
【請求項３】
当該布１０が布張棺１００の木材面ｗに、部分的に接着剤により張り合わせられて布張棺１００の木材面ｗを被覆してなることを特徴とする請求項１〜２の何れかに記載された布張棺１００。
【請求項４】
遺体を収容する本体部材Ｂと、本体部材Ｂに対して取り外し可能に装着される蓋部材Ｃと、本体部材Ｂの木材面ｗの外面を少なくとも被覆する紙２０を有する紙張棺２００において、紙２０が木目調模様を印刷された後に、抗菌・抗ウィルス加工施工により抗菌・抗ウィルス剤Ａを予め含侵してなり、当該紙２０が紙張棺２００の木材面ｗに張り合わせられて紙張棺２００の木材面ｗを被覆してなることを特徴とする紙張棺２００。
【請求項５】
抗菌・抗ウィルス剤Ａにおいて、抗菌剤が無機系抗菌剤又は有機系抗菌剤又はそれらの両方であり、抗ウィルス剤がカチオン界面活性剤であることを特徴とする請求項４に記載された紙張棺２００。
【請求項６】
当該紙２０が紙張棺２００の木材面ｗに、部分的に接着剤により張り合わせられて紙張棺２００の木材面ｗを被覆してなることを特徴とする請求項１〜５の何れかに記載された紙張棺２００。
【考案の詳細な説明】
【技術分野】
【０００１】
本考案は、布張棺及び紙張棺に関する。
【背景技術】
【０００２】
従来から、遺体を収容して葬るために、棺が使用されている。
そして、棺には、木製の木棺、及び石造の石棺がある。
これらのうち、木棺は、主として火葬を行うために用いられ、石棺は、主として土葬を行うために用いられる。  ただし、木棺は、土葬を行う場合に用いられることもある。
また、木棺は、天然木棺と、合板製のフラッシュ棺に大別されており、また、近年は、特殊ダンボール製のエコ棺も提供されるようになっている。
これらのうち、天然木棺は、檜、樅、桐等の無垢材を用いて製造されるので、高級感のある棺を得ることができる。
これに対して、合板製のフラッシュ棺、特殊ダンボール製のエコ棺は、そのままでは、高級感を持たせることができない。
しかし、合板製のフラッシュ棺、特殊ダンボール製のエコ棺の外周を覆うように装飾用シートを設けた構成の棺が提供されるようになってきている。
【考案の開示】
【０００３】
このような棺は、低価格化を達成でき、しかも高級感をも達成することができる。
また、上記の棺においては、その内面をむきだしにしないように、布張りを施すことが提案され、実用化されている。
この場合における布としては、一般的な布が採用されている。
具体的には、例えば、板材に布を巻き付けておき、このような板材を用いて棺を組み立てるようにしている。
そして、このような棺に遺体を収容して、通夜、葬儀等の式典を行う。
したがって、この式典を通じて、会葬者は死者との別れの儀式のために、棺に触れることになり、また、式典の円滑な進行を補助する葬儀社の職員も必要に応じて棺に触れることになる。
また、遺体には雑菌が付着していることが多く、このような雑菌は、棺の外面に施された布にも付着し、しかも増殖し易いことが多い。
特に、棺に遺体を収容してから、通夜、葬儀等の式典を行うまでに長時間がかかったような場合には、雑菌の繁殖が著しくなってしまい、この結果、会葬者、葬儀社の職員等、棺の外側に触れた人に雑菌が付着する可能性が大幅に高くなってしまう。
また、死因によっては、人体に有害な細菌が遺体に存在する可能性があり、このような場合には、会葬者、葬儀社の職員等、棺の外側に触れた人に細菌が付着することによって、病気になってしまう可能性がある。
【先行技術文献】
【特許文献】
【０００４】
本願考案に係る布張棺及び紙張棺について、ＦＩ、キーワード検索を行ったところ、本件考案（請求項１〜６に記載された考案）に近い考案等記載文献は、発見されませんでしたので、特許文献の記載は省略する。
【考案の概要】
【考案が解決しようとする課題】
【０００５】
従来は、木棺の内側にスプレー等の抗菌作用を施す技術により、木棺の内側に抗菌作用を施したことを特徴とする布張棺は、存在していたが、棺の外側にスプレーなどの抗菌作用を施すことは行っていなかった。
考案者は、かかる従来技術の欠点等を鋭意研究した結果、本考案を完成させた。
○本考案が解決しようとする第１課題
本考案が解決しようとする第１課題は、
棺は、葬儀の際に葬儀社職員や会葬者の複数が触れる物品であるが、遺体からの雑菌が木棺の外側に付着し増殖しやすいため、棺の内側に抗菌作用を施す技術を適用するだけでは、不十分であり、棺の外側に抗菌作用を施す技術を適用した布張棺及び紙張棺及び紙張棺を提供することである。
○本考案が解決しようとする第２課題
本考案が解決しようとする第２課題は、
棺の外側に抗菌作用を施す技術を適用する場合、抗菌加工された糸から製造された布地（生地）を用いると製品単価が高額になり、市場では受け入れ難かったという従来技術の欠点を解消すべく、安価に抗菌・抗ウィルス加工することができ、かつ、安全な製品である布張棺を提供することである。
○本考案が解決しようとする第３課題
本考案が解決しようとする第３課題は、
棺の外側に抗菌作用を施す技術を適用する場合、抗菌加工された紙（販売されている）を木目調模様の紙としそれを張ると製品単価が高額になり、市場では受け入れ難かったという従来技術の欠点を解消すべく、安価に抗菌・抗ウィルス加工することができ、かつ、安全な製品である紙張棺を提供することである。
【課題を解決するための手段】
【０００６】
課題を解決するための手段は、本願の［実用新案登録請求の範囲］の各請求項に記載の考案である。
本発明について、座標系は、右手系のＸＹＺ座標系を採用するものとする。
ＸＹＺ座標系は、原則として、図面において、以下のように定める。
Ｘ方向とは、載置した棺の蓋部材Ｃの中央部から開口部Ｃ０側を向かう方向をいう。
Ｙ方向とは、載置した棺の上側方向（反重力方向）をいうものとする。
Ｚ方向とは、右手座標系において、Ｘ方向とＹ方向に垂直である方向をいう。
実用新案登録請求の範囲、明細書、図面等の用語の解釈上の疑義を解消すべく、以下用語の説明を行うこととする。
＜用語の説明＞
○棺とは、死者を葬るときに遺体を納める容器をいい、木製の木棺、及び石造の石棺がある。原則的には直接遺体を入れるものを指す。本願発明においては、棺とは、特に断らない限り、布張棺１００（又は紙張棺２００）をいう。
○木棺とは、死者を埋葬するための木製の棺をいう。合板製のフラッシュ棺、特殊ダンボール製のエコ棺がある。原則的には直接遺体を入れるものを指す。
○本体部材Ｂとは、遺体を収容できるように、十分な深さを有し、上部が開放された部材をいう。
○蓋部材Ｃとは、本体部材Ｂの上部開口を覆うことができる部材をいう。この蓋部材Ｃには、本体部材Ｂに収容された遺体の顔部分を見ることができるようにするために、開閉扉部材Ｃ０を設けてあってもよい。
〇布張棺１００とは、布１０を木棺の木材に巻き付けた木棺をいう。原則的には直接遺体を入れるものを指す。
本発明に係る、布張棺１００とは、遺体を収容する本体部材Ｂと、本体部材Ｂに対して取り外し可能に装着される蓋部材Ｃと、本体部材Ｂの木材面ｗの外面を少なくとも被覆する布１０を有する棺（木棺）をいう。
〇紙張棺２００とは、紙を木棺の木材に巻き付けた木棺をいう。原則的には直接遺体を入れるものを指す。
本発明に係る、紙張棺２００とは、遺体を収容する本体部材Ｂと、本体部材Ｂに対して取り外し可能に装着される蓋部材Ｃと、本体部材Ｂの木材面ｗの外面を少なくとも被覆する紙２０を有する棺（木棺）をいう。
○抗菌とは、細菌などの微生物の増殖を抑えることである。
日本のあらゆる製品や技術の規格を定めている日本産業規格（ＪＩＳ）では、「製品の表面における細菌の増殖を抑制する状態（カビや酵母などの真菌類は含まれない）」と定義していて、加工されていない製品の表面と比較して細菌の増殖割合が１００分の１以下（抗菌活性値２以上）である場合、その製品に抗菌効果があると規定している。
「殺菌」や「除菌」のように微生物を殺したり、取り除く効果はない。キッチン用品やトイレ用品、バスグッズ、衣類、ぬいぐるみ、おもちゃなどでよく使われています。
〇抗ウィルスとは、ウイルスを不活化させることである。
ウイルスの不活化とは、ウイルスの外部組織を破壊することで、生物の細胞に侵入して増殖する機能を失わせ、活動を停止した状態にすることである。
一般的な方法としては、アルコール（エタノール）や次亜塩素酸ナトリウムを含む消毒剤による不活化等が挙げられる。
〇抗菌・抗ウィルス加工とは、抗菌加工／又は、抗ウィルス加工／又は、抗菌加工及び抗ウィルス加工をいう。
〇抗菌加工とは、抗菌効果を奏するように加工することをいう。
〇抗ウィルス加工とは、抗ウィルス効果を奏するようにする加工をいう。
〇抗菌加工及び抗ウィルス加工とは、抗菌効果を奏するようにする加工及び抗ウィルス効果を奏するようにする加工の両方をする加工をいう。
〇抗菌・抗ウィルス剤Ａとは、抗菌・抗ウィルス加工の際に用いる、抗菌効果／又は、抗ウィルス効果／又は、抗菌効果及び抗ウィルス効果を有する薬剤をいう。
〇抗菌剤とは、抗菌加工の際に用いる、抗菌効果を有する薬剤をいう。
抗菌剤には、無機系抗菌剤と有機系抗菌剤とがある。
そして、無機系抗菌剤は、銀、銅、亜鉛化合物等、金属イオンの静菌作用を利用したものであり、特に銀イオンによるものの効果が高い。
また、有機系抗菌剤は、有機物を利用した抗菌剤であり、合成系抗菌剤と天然系抗菌剤に大別される。
ここで、合成系抗菌剤とは、化学合成した有機化合物を利用したものをいう。
また、天然系抗菌剤とは、フィトンチッド等、天然物質によるものをいう。この天然系抗菌剤には、ヒノキチオール等、植物の精油を利用したものが多い。
すなわち、抗菌剤とは、具体的には、無機系抗菌剤と有機系抗菌剤有機系抗菌剤をいう。
抗菌剤とは、より詳しくは、（無機系抗菌剤である銀、銅、亜鉛化合物等とフィトンチッド（ヒノキチオール）から選択された１又は２以上の物質をいう。
〇抗ウィルス剤とは、抗ウィルス加工の際に用いる、抗ウィルス効果を有する薬剤をいう。抗ウィルスとは、具体的には、抗ウィルス剤がカチオン界面活性剤である。
〇木材ｗとは、棺が木製の棺である場合において、樹木を切り出して棺用に用いられる板材をいう。
〇布１０とは、本体部材及び蓋部材の少なくとも外面を覆うように設けられた織物をいう。本発明においては、布１０とは、布張棺１００の木材面ｗに張り合わせられて布張棺１００の木材面ｗを被覆してなる織物をいう。
布１０とは、より具体的には、布地を、漂白及び染色し、かつ、抗菌・抗ウィルス加工をした後のものをいう。
〇布地１０’とは、漂白及び染色する前で、かつ、抗菌・抗ウィルス加工をする前のものをいう。
〇紙２０とは、紙張棺２００の木材面ｗに張り合わせられて紙張棺２００の木材面ｗを被覆してなる織物をいう。
〇布（紙）を布張棺（紙張棺）の木材に張り合わせて被覆する方法は、布全体に接着剤を塗布せずに布の両端辺付近と両端辺の中央付近に接着剤を塗布して布と布張棺の木材とを張り合わせる。
すなわち、当該布１０（当該紙２０）が布張棺１００（紙張棺２００）の木材面ｗに、部分的に接着剤により張り合わせられてとは、布全体（紙全体）に接着剤を塗布せずに布（紙）の両端辺付近と両端辺の中央付近に接着剤を塗布して布と布張棺（紙張棺）の木材とを張り合わせることをいう。
〇カチオン界面活性剤とは、陽イオン界面活性剤、陽性セッケン、逆性セッケンともいう。水溶液においてイオンに解離し、界面活性を示す原子団がカチオンとなる界面活性剤で、分子中に親水性原子団と親油性原子団をもっている両親媒性物質である。一般には、耐アルカリ性が小さいものが多いが、耐酸性、耐硬水性が大きく、ほかのタイプの活性剤と同様に界面張力低下能、乳化力、分散力、起泡力、浸透力などにすぐれ、また陽電荷をもっていることから、陰電荷をもつ物質、たとえば、金属表面、鉱石、顔料、染料、繊維、合成樹脂などに強く吸着して、強力な吸着被膜を形成して、これらの物質表面を親油性にする性質を有する。カチオン界面活性剤に属するものとして、たとえば、アミン塩（アルキルアミン塩、アミド結合アミン塩、エステル結合アミン塩など）、第四級アンモニウム塩（アルキルアンモニウム塩、アミド結合アンモニウム塩、エステル結合アンモニウム塩、エーテル結合アンモニウム塩など）、ピリジニウム塩（アルキルピリジニウム塩、アミド結合ピリジニウム塩、エーテル結合ピリジニウム塩、エステル結合ピリジニウム塩など）などがある。顔料分散剤、帯電防止剤、金属さび止め剤、染色助剤、沈降促進剤および浮遊選鉱などに用いられ、ほかに強力な殺菌剤、消毒剤としても使用され、その利用度は大きい。（以上、化学辞典  第２版「カチオン界面活性剤」の解説による。）
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＜布張棺の布地に対して行う抗菌・抗ウィルス加工の具体的な工程＞
布張棺の布地（紙）に対して行う抗菌・抗ウィルス加工の具体的な工程を以下説明する。
原料は布地から始まって、布地（生地）の漂白工程及び染織工程の次の工程に抗菌・抗ウィルス加工工程が入って、最終の加工品である抗菌・ウィルス加工された布が得られます。
●ステップ１
ステップ１は、漂白工程を表し、原料の布地（生地）を漂白する工程を表す。
●ステップ２
ステップ２は、染色工程を表し、漂白した布地を染色する工程を表す。
●ステップ３
ステップ３は、抗菌・抗ウィルス加工工程を表し、染色した布地を抗菌・抗ウィルス加工する工程を表す。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）  
上記の課題を解決するための第１の考案（請求項１に記載の考案）は、
遺体を収容する本体部材Ｂと、本体部材Ｂに対して取り外し可能に装着される蓋部材Ｃと、本体部材Ｂの木材面ｗの外面を少なくとも被覆する布１０を有する布張棺１００において、布１０が漂白され染色された後に、抗菌・抗ウィルス加工施工により抗菌・抗ウィルス剤Ａを予め含侵してなり、当該布１０が布張棺１００の木材面ｗに張り合わせられて布張棺１００の木材面ｗを被覆してなることを特徴とする布張棺１００である。
○第２の考案（請求項２に記載の考案）  
上記の課題を解決するための第２の考案（請求項２に記載の考案）は、
抗菌・抗ウィルス剤Ａにおいて、抗菌剤が無機系抗菌剤又は有機系抗菌剤又はそれらの両方であり、抗ウィルス剤がカチオン界面活性剤であることを特徴とする請求項１に記載された布張棺１００である。
○第３の考案（請求項３に記載の考案）
上記の課題を解決するための第３の考案（請求項３に記載の考案）は、
当該布１０が布張棺１００の木材面ｗに、部分的に接着剤により張り合わせられて布張棺１００の木材面ｗを被覆してなることを特徴とする請求項１〜２の何れかに記載された布張棺１００である。
○第４の考案（請求項４に記載の考案）
上記の課題を解決するための第４の考案（請求項４に記載の考案）は、
遺体を収容する本体部材Ｂと、本体部材Ｂに対して取り外し可能に装着される蓋部材Ｃと、本体部材Ｂの木材面ｗの外面を少なくとも被覆する紙２０を有する紙張棺２００において、紙２０が木目調模様を印刷された後に、抗菌・抗ウィルス加工施工により抗菌・抗ウィルス剤Ａを予め含侵してなり、当該紙２０が紙張棺２００の木材面ｗに張り合わせられて紙張棺２００の木材面ｗを被覆してなることを特徴とする紙張棺２００である。
○第５の考案（請求項５に記載の考案）
上記の課題を解決するための第５の考案（請求項５に記載の考案）は、
抗菌・抗ウィルス剤Ａにおいて、抗菌剤が無機系抗菌剤又は有機系抗菌剤又はそれらの両方であり、抗ウィルス剤がカチオン界面活性剤であることを特徴とする請求項４に記載された紙張棺２００である。
○第６の考案（請求項６に記載の考案）
上記の課題を解決するための第６の考案（請求項６に記載の考案）は、
当該紙２０が紙張棺２００の木材面ｗに、部分的に接着剤により張り合わせられて紙張棺２００の木材面ｗを被覆してなることを特徴とする請求項４〜５の何れかに記載された紙張棺２００である。
【考案の効果】
【０００７】
本考案に係る、は、上記のような特徴的構成要件から構成され、特徴的構成要件に応じた、以下のような本願考案特有の効果を奏する。
また、上記の各考案に応じた、上記のような特徴的構成要件から構成された布張棺１００によれば、本願考案の課題を十分解消することができた。
○第１の考案の効果
第１の考案によれば、
遺体を収容する本体部材Ｂと、本体部材Ｂに対して取り外し可能に装着される蓋部材Ｃと、本体部材Ｂの木材面ｗの外面を少なくとも被覆する布１０を有する布張棺１００において、布１０が漂白され染色された後に、抗菌・抗ウィルス加工施工により抗菌・抗ウィルス剤Ａを予め含侵してなり、当該布１０が布張棺１００の木材面ｗに張り合わせられて布張棺１００の木材面ｗを被覆してなることという特徴的な構成要件により、本考案が解決しようとする第１課題〜第３課題を達成することができ、当業者予測不可能な顕著な効果を奏することができた。
○第２の考案の効果
第２の考案によれば、
抗菌・抗ウィルス剤Ａにおいて、抗菌剤が無機系抗菌剤又は有機系抗菌剤又はそれらの両方であり、抗ウィルス剤がカチオン界面活性剤であることという特徴的な構成要件により、本考案が解決しようとする第１課題〜第３課題を達成することができ、当業者予測不可能な顕著な効果を奏することができた。
○第３の考案の効果
第３の考案によれば、
当該布１０が布張棺１００の木材面ｗに、部分的に接着剤により張り合わせられて布張棺１００の木材面ｗを被覆してなることという特徴的な構成要件により、本考案が解決しようとする第１課題〜第３課題を達成することができ、当業者予測不可能な顕著な効果を奏することができた。
○第４の考案の効果
第４の考案によれば、
遺体を収容する本体部材Ｂと、本体部材Ｂに対して取り外し可能に装着される蓋部材Ｃと、本体部材Ｂの木材面ｗの外面を少なくとも被覆する紙２０を有する紙張棺２００において、紙２０が木目調模様を印刷された後に、抗菌・抗ウィルス加工施工により抗菌・抗ウィルス剤Ａを予め含侵してなり、当該紙２０が紙張棺２００の木材面ｗに張り合わせられて紙張棺２００の木材面ｗを被覆してなることという特徴的な構成要件により、本考案が解決しようとする第１課題〜第３課題を達成することができ、当業者予測不可能な顕著な効果を奏することができた。
○第５の考案の効果
第５の考案によれば、
抗菌・抗ウィルス剤Ａにおいて、抗菌剤が無機系抗菌剤又は有機系抗菌剤又はそれらの両方であり、抗ウィルス剤がカチオン界面活性剤であることという特徴的な構成要件により、本考案が解決しようとする第１課題〜第３課題を達成することができ、当業者予測不可能な顕著な効果を奏することができた。
○第６の考案の効果
第６の考案によれば、
当該紙２０が紙張棺２００の木材面ｗに、部分的に接着剤により張り合わせられて紙張棺２００の木材面ｗを被覆してなることという特徴的な構成要件により、本考案が解決しようとする第１課題〜第３課題を達成することができ、当業者予測不可能な顕著な効果を奏することができた。
【考案を実施するための最良の形態】
【０００８】
以下、本考案に係る、布張棺及び紙張棺に関する最良の実施形態について、図面を参照しながら説明する。
［図１］図１は、本考案の布張棺（紙張棺）の斜視図を表す。
［図２］図２は、本考案の布張棺（紙張棺）の斜視図を表す。本考案の布張棺（紙張棺）を説明するための代表的図面である。  図には、右手座標系のＸＹＺ座標系が表示されている。
Ｘ方向とは、載置した棺の蓋部材Ｃの中央部から開口部Ｃ０側を向かう方向をいう。
Ｙ方向とは、載置した棺の上側方向（反重力方向）をいうものとする。
Ｚ方向とは、右手座標系において、Ｘ方向とＹ方向に垂直である方向をいう。
［図３］図３は、図１の布張棺（紙張棺）の縦断面図を表す。この図には、図２と同じ右手座標系のＸＹＺ座標系が表示されている。
［図４］図４は、図１の布張棺（紙張棺）の横断面図を表す。この図には、図２と同じ右手座標系のＸＹＺ座標系が表示されている。
［図５］図５は、図４の布張棺（紙張棺）の横断面図の一部（本体部Ｂと布１０（紙２０））を拡大図した図を表す。この図には、図２と同じ右手座標系のＸＹＺ座標系が表示されている。この図は、「布１０が布張棺１００の木材面ｗに、部分的に接着剤により張り合わせられて布張棺１００の木材面ｗを被覆してなること」、すなわち、「布全体に接着剤を塗布せずに布の両端辺付近と両端辺の中央付近に接着剤を塗布して布と布張棺の木材とを張り合わせること」を表している。
［図６］図６は、本願考案に係る布張棺（紙張棺）の布（紙）の工程をステップ１〜ステップ３で表す
以下、本考案に係る、布張棺１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の布張棺１００において、
遺体を収容する本体部材Ｂと、本体部材Ｂに対して取り外し可能に装着される蓋部材Ｃと、本体部材Ｂの木材面ｗの外面を少なくとも被覆する布１０を有する布張棺１００において、布１０が漂白され染色された後に、抗菌・抗ウィルス加工施工により抗菌・抗ウィルス剤Ａを予め含侵してなり、当該布１０が布張棺１００の木材面ｗに張り合わせられて布張棺１００の木材面ｗを被覆してなることを特徴とする布張棺１００が開示されている。
○第１の考案の効果
第１の考案によれば、
遺体を収容する本体部材Ｂと、本体部材Ｂに対して取り外し可能に装着される蓋部材Ｃと、本体部材Ｂの木材面ｗの外面を少なくとも被覆する布１０を有する布張棺１００において、布１０が漂白され染色された後に、抗菌・抗ウィルス加工施工により抗菌・抗ウィルス剤Ａを予め含侵してなり、当該布１０が布張棺１００の木材面ｗに張り合わせられて布張棺１００の木材面ｗを被覆してなることという特徴的な構成要件により、本考案が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の布張棺１００において、
抗菌・抗ウィルス剤Ａにおいて、抗菌剤が無機系抗菌剤又は有機系抗菌剤又はそれらの両方であり、抗ウィルス剤がカチオン界面活性剤であることが開示されている。
○第２の考案の効果
第２の考案によれば、
抗菌・抗ウィルス剤Ａにおいて、抗菌剤が無機系抗菌剤又は有機系抗菌剤又はそれらの両方であり、抗ウィルス剤がカチオン界面活性剤であることという特徴的な構成要件により、本考案が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の布張棺１００において、
当該布１０が布張棺１００の木材面ｗに、部分的に接着剤により張り合わせられて布張棺１００の木材面ｗを被覆してなることが開示されている。
○第３の考案の効果
第３の考案によれば、
当該布１０が布張棺１００の木材面ｗに、部分的に接着剤により張り合わせられて布張棺１００の木材面ｗを被覆してなることという特徴的な構成要件により、本考案が解決しようとする第１課題〜第３課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の布張棺１００において、
遺体を収容する本体部材Ｂと、本体部材Ｂに対して取り外し可能に装着される蓋部材Ｃと、本体部材Ｂの木材面ｗの外面を少なくとも被覆する紙２０を有する紙張棺２００において、紙２０が木目調模様を印刷された後に、抗菌・抗ウィルス加工施工により抗菌・抗ウィルス剤Ａを予め含侵してなり、当該紙２０が紙張棺２００の木材面ｗに張り合わせられて紙張棺２００の木材面ｗを被覆してなることが開示されている。
○第４の考案の効果
第４の考案によれば、
遺体を収容する本体部材Ｂと、本体部材Ｂに対して取り外し可能に装着される蓋部材Ｃと、本体部材Ｂの木材面ｗの外面を少なくとも被覆する紙２０を有する紙張棺２００において、紙２０が木目調模様を印刷された後に、抗菌・抗ウィルス加工施工により抗菌・抗ウィルス剤Ａを予め含侵してなり、当該紙２０が紙張棺２００の木材面ｗに張り合わせられて紙張棺２００の木材面ｗを被覆してなることという特徴的な構成要件により、本考案が解決しようとする第１課題〜第３課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の紙張棺２００において、
抗菌・抗ウィルス剤Ａにおいて、抗菌剤が無機系抗菌剤又は有機系抗菌剤又はそれらの両方であり、抗ウィルス剤がカチオン界面活性剤であることが開示されている。
○第５の考案の効果
第５の考案によれば、
抗菌・抗ウィルス剤Ａにおいて、抗菌剤が無機系抗菌剤又は有機系抗菌剤又はそれらの両方であり、抗ウィルス剤がカチオン界面活性剤であることという特徴的な構成要件により、本考案が解決しようとする第１課題〜第３課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の紙張棺２００において、
当該紙２０が紙張棺２００の木材面ｗに、部分的に接着剤により張り合わせられて紙張棺２００の木材面ｗを被覆してなることが開示されている。
○第６の考案の効果
第６の考案によれば、
当該紙２０が紙張棺２００の木材面ｗに、部分的に接着剤により張り合わせられて紙張棺２００の木材面ｗを被覆してなることという特徴的な構成要件により、本考案が解決しようとする第１課題〜第３課題を達成することができ、当業者予測不可能な顕著な効果を奏することができた。
【図面の簡単な説明】
【０００９】
【図１】図１は、本考案の布張棺（紙張棺）の斜視図を表す。
【図２】図２は、本考案の布張棺（紙張棺）の斜視図を表す。本考案の布張棺（紙張棺）を説明するための代表的図面である。  図には、右手座標系のＸＹＺ座標系が表示されている。  Ｘ方向とは、載置した棺の蓋部材Ｃの中央部から開口部Ｃ０側を向かう方向をいう。  Ｙ方向とは、載置した棺の上側方向（反重力方向）をいうものとする。  Ｚ方向とは、右手座標系において、Ｘ方向とＹ方向に垂直である方向をいう。
【図３】図３は、図１の布張棺（紙張棺）の縦断面図を表す。この図には、図２と同じ右手座標系のＸＹＺ座標系が表示されている。
【図４】図４は、図１の布張棺（紙張棺）の横断面図を表す。この図には、図２と同じ右手座標系のＸＹＺ座標系が表示されている。
【図５】図５は、図４の布張棺（紙張棺）の横断面図の一部（本体部Ｂと布１０（紙２０））を拡大図した図を表す。この図には、図２と同じ右手座標系のＸＹＺ座標系が表示されている。この図は、「布１０が布張棺１００の木材面ｗに、部分的に接着剤により張り合わせられて布張棺１００の木材面ｗを被覆してなること」、すなわち、「布全体に接着剤を塗布せずに布の両端辺付近と両端辺の中央付近に接着剤を塗布して布と布張棺の木材とを張り合わせること」を表している。
【図６】図６は、本願考案に係る布張棺（紙張棺）の布（紙）の工程をステップ１〜ステップ３で表す
【符号の説明】
【００１０】
１０……布
９９……木棺
１００……布張棺
Ｃ……蓋部材
Ｃ０……開口部（蓋部材の開口部）
Ｂ……本体部材
ｗ……木材面
２０……紙
２００……紙張棺
【図１】
0003234553.tif 000003
【図２】
0003234553.tif 000004
【図３】
0003234553.tif 000005
【図４】
0003234553.tif 000006
【図５】
0003234553.tif 000007
【図６】
0003234553.tif 000008